(57)【要約】【課題】音信号読み出し装置５から入力される音情報に立体的な定位感を効果的に与える。【解決手段】音源座標コントローラ１は音源を定位させるべき空間的な座標を時系列情報として出力し、座標ゆらぎ付加装置２は音源座標コントローラから出力された音源座標に「ゆらぎ」を付加し、音信号特徴量演算装置３は座標ゆらぎ付加装置から入力された音源座標の方向から音が聴こえてくるように定位感をもたらす音信号特徴量を演算し、音信号特徴量調節装置４は音信号特徴量演算装置によって演算された音信号特徴量にしたがって音信号読み出し装置から入力された音信号の特徴量を調節する。【選択図】  図１
2005295416.tif 000002
【特許請求の範囲】
【請求項１】
音信号読み出し装置から入力される音信号に立体的な音響効果を与える立体音響処理装置であって、
音源を定位させるべき空間的な座標を時系列情報として出力する音源座標コントローラと、
前記音源座標コントローラから出力された音源座標に「ゆらぎ」を付加する座標ゆらぎ付加装置と、
前記座標ゆらぎ付加装置から入力された音源座標の方向から音が聴こえてくるように定位感をもたらす音信号特徴量を演算する音信号特徴量演算装置と、
前記音信号特徴量演算装置によって演算された音信号特徴量にしたがって前記音信号読み出し装置から入力された音信号の特徴量を調節する音信号特徴量調節装置と、
を具備することを特徴とする立体音響処理装置。
【請求項２】
請求項１において、音信号と音源座標と付加する座標ゆらぎ量とのいずれか、あるいはそれらの組み合わせを保存するメモリーと、
前記メモリーからそれぞれの情報を前記音源座標コントローラ、座標ゆらぎ付加装置および音信号読み出し装置に同期させて読み出すタイマーと、
を具備することを特徴とする立体音響処理装置。
【請求項３】
請求項１において、音信号と音源座標と付加する座標ゆらぎ量とのいずれか、あるいはそれらの組み合わせを、前記音信号読み出し装置、音源座標コントローラおよび座標ゆらぎ付加装置に入力設定できる入力デバイスを具備することを特徴とする立体音響処理装置。
【請求項４】
請求項１において、音信号と音源座標と付加する座標ゆらぎ量とのいずれか、あるいはそれらの組み合わせをネットワークを介して受け取り、前記音信号読み出し装置、音源座標コントローラおよび座標ゆらぎ付加装置に入力するネットワークデバイスを具備することを特徴とする立体音響処理装置。
【請求項５】
請求項１において、音信号と音源座標と付加する座標ゆらぎ量とのいずれか、あるいはそれらの組み合わせをネットワークを介して受け取り、前記音信号読み出し装置に入力する音信号に同期させて、前記音源座標コントローラおよび座標ゆらぎ付加装置に入力するネットワークデバイスを具備することを特徴とする立体音響処理装置。
【請求項６】
請求項１〜５のいずれか１の立体音響処理装置において、前記音信号特徴量調節装置からの出力を音として再生する発音装置を具備することを特徴とする立体音響処理装置。
【請求項７】
音信号読み出し装置から入力される音信号に立体的な音響効果を与える立体音響処理方法であって、
音源座標コントローラは、音源を定位させるべき空間的な座標を時系列情報として出力し、
座標ゆらぎ付加装置は、前記音源座標コントローラから出力された音源座標に「ゆらぎ」を付加し、
音信号特徴量演算装置は、前記座標ゆらぎ付加装置から入力された音源座標の方向から音が聴こえてくるように定位感をもたらす音信号特徴量を演算し、
音信号特徴量調節装置は、前記音信号特徴量演算装置によって演算された音信号特徴量にしたがって前記音信号読み出し装置から入力された音信号の特徴量を調節する、
ことを特徴とする立体音響処理方法。
【発明の詳細な説明】
【技術分野】
【０００１】
本発明は、音楽や音声などの音情報に立体的な定位感を与える立体音響処理とその再生を行う立体音響処理装置および方法に関するものである。
【背景技術】
【０００２】
音響信号に立体的な定位感を与える技術として、頭部伝達関数による音信号処理を加えることによって、ヘッドホン再生における立体的な定位感を実現していることをはじめ、多くのサラウンド音響効果処理技術が開発されている（例えば、非特許文献１参照）。
【非特許文献１】岡本ほか「Sound image rendering system for headphone」（IEEE transaction Consumer Electronics,43,689-693,1997）
【発明の開示】
【発明が解決しようとする課題】
【０００３】
しかし、音の定位感は、前方でも２０度程度と精度が低く、感じ方の個人差も大きいため、立体的な音像定位に気づかない場合も少なくない。
【０００４】
従来技術によって定位させている音像に効果的に気づかせる新しい技術の開発が要望されている。
【０００５】
本発明の目的は、音響に立体的な定位感を効果的に与えることができる立体音響処理装置および立体音響処理方法を提供することにある。
【課題を解決するための手段】
【０００６】
音響に立体的な定位感を人に与えることは、音像の定位そのものを人が気づく（音刺激が人の意識にのぼる）ことであり、音刺激が人の意識にのぼるためには、太脳皮質まで刺激が到達することが必要となる。人の聴覚は音刺激の変化をＦＭニューロンなどの働きによりフィルタリングしており、変化分のみが太脳皮質に到達する。したがって、音刺激を人に気づかせるためには、常に変化しつづける非定常刺激を与えることが有効である。
【０００７】
本発明は、上記のことに着目し、音像を定位させる空間座標上で、音像の定位をゆらがせることによって定位感の微小な変化を生ぜしめ、それによって音像の立体的な定位そのものを人が気づき易くすることで前記の課題を解決するもので、以下の装置および方法を特徴とする。
【０００８】
（１）音信号読み出し装置から入力される音情報に立体的な音響効果を与える立体音響処理装置であって、
音源を定位させるべき空間的な座標を時系列情報として出力する音源座標コントローラと、
前記音源座標コントローラから出力された音源座標に「ゆらぎ」を付加する座標ゆらぎ付加装置と、
前記座標ゆらぎ付加装置から入力された音源座標の方向から音が聴こえてくるように定位感をもたらす音信号特徴量を演算する音信号特徴量演算装置と、
前記音信号特徴量演算装置によって演算された音信号特徴量にしたがって前記音信号読み出し装置から入力された音信号の特徴量を調節する音信号特徴量調節装置とを具備することを特徴とする。
【０００９】
（２）上記（１）において、音信号と音源座標と付加する座標ゆらぎ量とのいずれか、あるいはそれらの組み合わせを保存するメモリーと、
前記メモリーからそれぞれの情報を前記音源座標コントローラ、座標ゆらぎ付加装置および音信号読み出し装置に同期させて読み出すタイマーとを具備することを特徴とする。
【００１０】
（３）上記（１）において、音信号と音源座標と付加する座標ゆらぎ量とのいずれか、あるいはそれらの組み合わせを、前記音信号読み出し装置、音源座標コントローラおよび座標ゆらぎ付加装置に入力設定できる入力デバイスを具備することを特徴とする。
【００１１】
（４）上記（１）において、音信号と音源座標と付加する座標ゆらぎ量とのいずれか、あるいはそれらの組み合わせをネットワークを介して受け取り、前記音信号読み出し装置、音源座標コントローラおよび座標ゆらぎ付加装置に入力するネットワークデバイスを具備することを特徴とする。
【００１２】
（５）上記（１）において、音信号と音源座標と付加する座標ゆらぎ量とのいずれか、あるいはそれらの組み合わせをネットワークを介して受け取り、前記音信号読み出し装置に入力する音信号に同期させて、前記音源座標コントローラおよび座標ゆらぎ付加装置に入力するネットワークデバイスを具備することを特徴とする。
【００１３】
（６）上記（１）〜（５）のいずれか１の立体音響処理装置において、前記音信号特徴量調節装置からの出力を音として再生する発音装置を具備することを特徴とする。
【００１４】
（７）音信号読み出し装置から入力される音情報に立体的な音響効果を与える立体音響処理方法であって、
音源座標コントローラは、音源を定位させるべき空間的な座標を時系列情報として出力し、
座標ゆらぎ付加装置は、前記音源座標コントローラから出力された音源座標に「ゆらぎ」を付加し、
音信号特徴量演算装置は、前記座標ゆらぎ付加装置から入力された音源座標の方向から音が聴こえてくるように定位感をもたらす音信号特徴量を演算し、
音信号特徴量調節装置は、前記音信号特徴量演算装置によって演算された音信号特徴量にしたがって前記音信号読み出し装置から入力された音信号の特徴量を調節することを特徴とする。
【発明の効果】
【００１５】
以上のとおり、本発明によれば、音像を定位させる空間座標上で、音像の定位をゆらがせることによって定位感の微小な変化を生ぜしめ、それによって音像の立体的な定位そのものを人が気づき易くするため、音響に立体的な定位感を効果的に与えることができる。
【発明を実施するための最良の形態】
【００１６】
図１は、本発明の請求項１に対応する装置構成例を示す。音源座標コントローラ１は音源を定位させるべき空間的な座標を時系列情報として出力する。
【００１７】
この音源座標コントローラ１から出力された音源座標をそのまま音信号特徴量演算装置３に入力して演算するのが従来の技術であるが、本実施形態においては、従来技術によって定位された音像の位置を前後左右にあるいは円弧を描いてなどゆらがせることによって、音像定位に変化を与え、聴覚刺激が大脳皮質まで達して音像定位情報の存在が意識にのぼることを効果的に実現する。
【００１８】
座標ゆらぎ付加装置２は入力される座標情報に「ゆらぎ」を加える。この「ゆらぎ」の付加は上記のように音像の位置を水平方向に単振動あるいは円弧させるが、他のベクトルでもよいし、複雑に変化させてもよい。
【００１９】
音信号特徴量演算装置３は、ゆらぎを付加された音源座標に基づき、音信号特徴量を演算し、音信号特徴量調節装置４に対して出力する。音信号特徴量調節装置４は、入力された音信号特徴量にしたがい、音信号読み出し装置５から別途入力されている音信号に対して特徴量を調節する。
【００２０】
以上の機能構成により、音像定位座標がゆらぐ音信号が生成され、従来よりも定位感を強調した立体音響処理を実現することができる。
【００２１】
図２は、本発明の請求項２に対応する装置構成例を示す。同図が図１と異なる部分は、音信号、音源座標、座標ゆらぎを内部メモリー６からタイマー７によって同期させて読み出す点にある。
【００２２】
この機能構成により、楽曲などの進行と音信号の定位とをマッチさせ、従来よりも楽曲の定位感を強調した空間演出コンテンツを編集することができる。
【００２３】
図３は、本発明の請求項３に対応する装置構成例を示す。同図が図１と異なる部分は、音源座標、座標ゆらぎを入力デバイス８によって人が入力できるようにした点にある。
【００２４】
この機能構成により、楽曲などの進行にしたがって、ほぼリアルタイムに音像の定位のデザインを行っていくことができる。
【００２５】
図４は、本発明の請求項５に対応する装置構成例を示す。同図が図１と異なる部分は、音信号、音源座標、座標ゆらぎを外部ネットワークからネットワークデバイス９を介して受け取り、同期させて読み出す。
【００２６】
この機能構成により、楽曲などの進行と音信号の定位とをマッチさせ、従来よりも楽曲の定位感を強調した空間演出コンテンツをネットワーク環境下で編集することができる。
【００２７】
なおネットワークからの入力を同期させないことも可能であり、その場合は本発明の請求項４に対応した装置になる。
【００２８】
また、図１〜図４の機能構成は排他的なものではなく、音楽をネットワークから取り込みつつ、定位座標を入力デバイス８で操作し、座標ゆらぎはメモリー６内に蓄積されていたものを用いるといった組み合わせ構成も可能である。
【００２９】
図５は、本発明の請求項６に対応する装置構成例を示す。同図が図４と異なる部分は、処理され出力された音信号を発音装置１０によって音として再生する点にある。
【００３０】
この機能構成により、楽曲などの進行と音信号の定位とをマッチさせ、従来よりも楽曲の定位感を強調した空間演出コンテンツをネットワーク環境下で生演奏することが可能になる。
【００３１】
なお、以上までの図１〜図５の機能構成は、簡単のために単一チャンネルの事例を述べている。いずれもステレオ２チャンネル、サラウンド５.１チャンネルなど、多チャンネルの場合も同様に構成することが可能である。
【図面の簡単な説明】
【００３２】
【図１】本発明の実施形態を示す立体音響処理装置の構成例。
【図２】本発明の他の実施形態を示す立体音響処理装置の構成例。
【図３】本発明の他の実施形態を示す立体音響処理装置の構成例。
【図４】本発明の他の実施形態を示す立体音響処理装置の構成例。
【図５】本発明の他の実施形態を示す立体音響処理装置の構成例。
【符号の説明】
【００３３】
１  音源座標コントローラ
２  座標ゆらぎ付加装置
３  音信号特徴量演算装置
４  音信号特徴量調節装置
５  音信号読み出し装置
６  メモリー
７  タイマー
８  入力デバイス
９  ネットワークデバイス
１０  発音装置
【図１】
2005295416.tif 000003
【図２】
2005295416.tif 000004
【図３】
2005295416.tif 000005
【図４】
2005295416.tif 000006
【図５】
2005295416.tif 000007